(57)【要約】【課題】調光率設定タイプを変更しても、点灯累積時間が初期化されず、点灯累積時間と調光率タイプとに応じた調光率を用いてランプを点灯する照明制御装置を提供する。【解決手段】本発明にかかる照明制御装置は、複数種類の調光率タイプのなかからひとつの調光率タイプを選択して設定する調光率設定スイッチ１１０と、照明器具の点灯累積時間を計測するタイマ１６０と、調光率タイプと照明器具の点灯累積時間とに対応する基本調光率を計算により求めるための調光率情報を記憶する調光率記憶部１４０と、調光率タイプが変更された場合に、調光率情報を読み出して、前記調光率情報に基づいて、変更後の調光率タイプの調光率の値であってタイマ１６０が計測した点灯累積時間に対応する調光率の値を計算して求め、照明器具２００の調光率を制御する調光制御信号を生成して出力する制御部１５０とを備えた。【選択図】図１
2008204916.tif 000002
【特許請求の範囲】
【請求項１】
照明器具の調光率を制御する照明制御装置において、
複数種類の調光率タイプのなかからひとつの調光率タイプを選択して設定する調光率設定スイッチと、
上記照明器具の点灯累積時間を計測するタイマと、
調光率タイプと照明器具の点灯累積時間とに対応する基本調光率を計算により求めるための調光率情報を記憶する調光率記憶部と、
上記調光率設定スイッチにより調光率タイプが変更された場合に、上記調光率記憶部に記憶した調光率情報を読み出して、上記調光率情報に基づいて、変更後の調光率タイプの調光率の値であってタイマが計測した点灯累積時間に対応する調光率の値を計算して求め、求めた調光率の値を用いて上記照明器具の調光率を制御する調光制御信号を生成して出力する制御部と
を備えたことを特徴とする照明制御装置。
【請求項２】
照明器具の調光率を制御する照明制御装置において、
複数種類の調光率タイプのなかからひとつの調光率タイプを選択して設定する調光率設定スイッチと、
上記照明器具の点灯累積時間を計測するタイマと、
複数種類の調光率タイプの各タイプに対して、上記照明器具の点灯累積時間に対応する調光率の値を調光率情報として記憶する調光率記憶部と、
上記調光率設定スイッチにより調光率タイプが変更された場合に、上記調光率記憶部に記憶された調光率情報の中から、変更後の調光率タイプの調光率の値であってタイマが計測した点灯累積時間に対応する調光率の値を読み出して、この調光率の値を用いて上記照明器具の調光率を制御する調光制御信号を生成して出力する制御部と
を備えたことを特徴とする照明制御装置。
【請求項３】
上記調光率記憶部は、調光率情報として、点灯累積時間の経過とともに調光率を変化させた調光カーブから得られた情報と、上記調光カーブを直線で近似した直線から得られた情報との何れかを記憶したことを特徴とする請求項１又は２記載の照明制御装置。
【請求項４】
上記調光率設定スイッチは、上限調光率と下限調光率との何れかに基づいて、複数種類の調光率タイプのなかからひとつの調光率タイプを選択して設定するスイッチであることを特徴とする請求項１又は２記載の照明制御装置。
【請求項５】
上記調光率設定スイッチは、接点が非接触の場合に、調光率を高くする調光率タイプを選択するように設定されるスイッチであることを特徴とする請求項１又は２記載の照明制御装置。
【請求項６】
上記照明制御装置は、更に、
点灯累積時間に関係なく調光率固定の設定をする調光率固定出力スイッチを備え、
上記制御部は、上記調光率固定出力スイッチが調光率固定の設定がされた場合に、上記調光率設定スイッチにより設定されたひとつの調光率タイプにより定められた固定の調光率の値を用いて調光制御信号を生成することを特徴とする請求項１又は２記載の照明制御装置。
【請求項７】
上記照明制御装置は、更に、
タイマをリセットするリセットボタンを備え、
上記制御部は、上記リセットボタンが、所定時間以上押され続けた場合に、タイマをリセットするタイマリセット部を備えたことを特徴とする請求項１又は２記載の照明制御装置。
【請求項８】
上記制御部は、上記調光率固定出力スイッチが所定の時間内に所定回数以上、オン・オフされた場合に、タイマをリセットするタイマリセット部を備えたことを特徴とする請求項６記載の照明制御装置。
【請求項９】
上記制御部は、所定の時間内に、上記調光率固定出力スイッチが所定回数以上オン・オフされ、かつ、リセットボタンが押された場合に、タイマをリセットするタイマリセット部を備えたことを特徴とする請求項６記載の照明制御装置。
【請求項１０】
上記制御部は、上記照明器具の寿命検出回路から照明用ランプの寿命が到来したことを示す寿命検出信号を入力した場合に、タイマをリセットするタイマリセット部を備えたことを特徴とする請求項１又は２記載の照明制御装置。
【請求項１１】
上記請求項１〜１０いずれかに記載の照明制御装置と、照明制御装置から出力される調光制御信号により調光をする照明器具とを備えたことを特徴とする照明装置。
【請求項１２】
上記調光率設定スイッチが選択する調光率タイプは、下面開放照明器具による２．５ｍ離れた机上面の明るさが６５０ｌｘ（ルクス）、７００ｌｘ、７５０ｌｘになる場合と、ルーバー付照明器具による２．５ｍ離れた机上面の明るさが６５０ｌｘ、７５０ｌｘとなる場合の少なくともいずれかであることを特徴とする請求項１又は２記載の照明制御装置。
【発明の詳細な説明】
【技術分野】
【０００１】
本発明は、例えば、照明器具の調光率を制御する照明制御装置に関する。
【背景技術】
【０００２】
照明装置では、蛍光灯等のランプの取付直後と交換時期（寿命末期）との照度の違いが経年劣化により発生するため、ランプの取付時からの点灯累積時間をタイマにより計時し、ランプが点灯した点灯累積時間に応じて、照明制御装置により調光率を変化させ、取付直後と交換時期との照度の差が小さくなるようにしている。
従来の照明制御装置として、連続点灯モード、段調光モード、初期照度補正モードのいずれかに切り替えるスイッチを設け、リセット信号で点灯累積時間をリセットして計時動作させるリセット手段を設けた放電灯点灯装置がある（特許文献１）。
【特許文献１】特開２００１−３３８７８３号公報
【発明の開示】
【発明が解決しようとする課題】
【０００３】
従来の照明装置では、ランプの交換時期となる前に調光率を変更した場合、調光率を変更すると同時に点灯累積時間もリセットされてしまうため、ランプの実際の点灯累積時間と、制御装置に記録された点灯累積時間が異なることとなり、正確な調光率を設定することができなくなるという課題があった。
また、特許文献１に記載の技術では、連続点灯モード、段調光モード、初期照度補正モードを各スイッチで切り替えるため調光率の設定が１種類に決まっており、任意に調光率を切り替えることはできなかった。
本発明は、例えば上記のような課題を解決するためになされたものであり、ランプの使用途中の時期において調光率の設定値を切り替えても、点灯累積時間がリセットされずに、ランプの実際の点灯累積時間に応じた点灯するべき明るさで調光する照明制御装置およびそれを用いる照明装置を提供することを目的とする。
【課題を解決するための手段】
【０００４】
本発明に係る照明制御装置は、照明器具の調光率を制御する照明制御装置において、
複数種類の調光率タイプのなかからひとつの調光率タイプを選択して設定する調光率設定スイッチと、
照明器具の点灯累積時間を計測するタイマと、
調光率タイプと照明器具の点灯累積時間とに対応する基本調光率を計算により求めるための調光率情報を記憶する調光率記憶部と、
前記調光率設定スイッチにより調光率タイプが変更された場合に、前記調光率記憶部に記憶した調光率情報を読み出して、前記調光率情報に基づいて、変更後の調光率タイプの調光率の値であってタイマが計測した点灯累積時間に対応する調光率の値を計算して求め、求めた調光率の値を用いて照明器具の調光率を制御する調光制御信号を生成して出力する制御部とを備えたことを特徴とする。
【０００５】
本発明に係る照明制御装置は、照明器具の調光率を制御する照明制御装置において、
複数種類の調光率タイプのなかからひとつの調光率タイプを選択して設定する調光率設定スイッチと、
照明器具の点灯累積時間を計測するタイマと、
複数種類の調光率タイプの各タイプに対して、照明器具の点灯累積時間に対応する調光率の値を調光率情報として記憶する調光率記憶部と、
調光率設定スイッチにより調光率タイプが変更された場合に、調光率記憶部に記憶された調光率情報の中から、変更後の調光率タイプの調光率の値であってタイマが計測した点灯累積時間に対応する調光率の値を読み出して、この調光率の値を用いて照明器具の調光率を制御する調光制御信号を生成して出力する制御部と
を備えたことを特徴とする。
【発明の効果】
【０００６】
本発明に係る照明制御装置によれば、制御部が、調光率記憶部に記憶した調光率情報を読み出し、タイマが計測した点灯累積時間に対応する調光率の値を計算して求め、求めた調光率の値を用いて照明器具の調光率を制御する調光制御信号を出力する。そのため、調光率タイプを調光率設定スイッチにより切り替えても、タイマがリセットされず、下限調光率にセットされない。したがって、照明器具は設定した調光率タイプと点灯累積時間に応じた調光率によりランプを点灯することができるという効果を奏する。
【発明を実施するための最良の形態】
【０００７】
実施の形態１．
以下、本発明の実施の形態について、図を用いて説明する。
図１は、実施の形態１における照明制御装置１００を備えた照明装置３００の構成の一例を示す機能ブロック図である。図２は、実施の形態１における初期照度補正をした場合の基本調光カーブ及び複数種類の調光率タイプにおける調光率と経過時間率の関係を示した図である。図３は、実施の形態１における調光率設定スイッチの一例を示す図である。図４は、照明制御装置１００の動作を示すフローチャートである。図５は調光率設定スイッチ１１０の回路図とＤＩＰ（デュアルインパッケージ）スイッチ１８０の状況を示した図である。
【０００８】
まず、図１を用いて照明制御装置１００を備えた照明装置３００の構成について説明する。本実施の形態に係る照明装置３００は、照明制御装置１００と照明器具２００とランプ２２０とからなる。照明制御装置１００は、調光率設定スイッチ１１０と、調光率固定出力スイッチ１２０と、リセットボタン１３０と、調光率記憶部１４０と、制御部１５０と、タイマ１６０とから構成されている。調光率記憶部１４０と制御部１５０とタイマ１６０とをまとめてマイコン（マイクロコンピュータ）１７０と呼ぶ場合もある。照明制御装置１００の制御部１５０より、調光制御信号を生成して照明器具２００に出力することにより、ランプ２２０が点灯する。照明器具２００には、安定器２１０（インバータ）を備えている。ランプ２２０の一例として蛍光灯などがある。
【０００９】
マイコン１７０の制御部１５０は、図示しないが、プログラムを実行するＣＰＵ（Ｃｅｎｔｒａｌ  Ｐｒｏｃｅｓｓｉｎｇ  Ｕｎｉｔ、中央処理装置、処理装置、演算装置ともいう）を備えている。ＣＰＵは、バスを介してＲＯＭ、ＲＡＭ、入力部あるいは入力装置の一例である各スイッチ（調光率設定スイッチ１１０、調光率固定出力スイッチ１２０、リセットボタン１３０）、時間を計測する装置であるタイマ１６０と接続され、これらのハードウェアデバイスを制御する。ＲＡＭは揮発性メモリの一例である。ＲＯＭは、不揮発性メモリの一例である。これらは記憶装置あるいは記憶部の一例である。調光率記憶部１４０はＲＯＭなどの記憶装置で実現されている。
上記ＲＡＭやＲＯＭには、オペレーティングシステム（ＯＳ）、プログラム群、ファイル群が記憶されている。プログラム群には、例えば、後述する調光率決定部１５１、タイマリセット部１５２、信号出力部１５３等のプログラムが記憶されている。また、後述する調光率情報が各調光率タイプ等の情報を記録したファイル群として記憶されている。
【００１０】
また、以下に述べる実施の形態の説明において「〜部」として説明するものは、ＲＯＭに記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。ファームウェアとソフトウェアは、プログラムとして記憶装置に記憶される。プログラムはＣＰＵにより読み出され、ＣＰＵにより実行される。すなわち、プログラムは、以下に述べる「〜部」としてマイコン１７０を機能させるものである。あるいは、以下に述べる「〜部」の手順をマイコン１７０に実行させるものである。
【００１１】
次に、各構成要素の機能について説明する。
照明装置１００の、調光率設定スイッチ１１０は、複数種類の調光率タイプの中からひとつの調光率タイプを選択して設定する。ここで、調光率について説明する。一般に蛍光灯は、初期の状態（照明装置に取り付けた時）がもっとも照度が高く、点灯累積時間（蛍光灯の点灯時間を累積的に記録した時間）が増加するにつれて照度が下がる。そこで、従来の照明装置では、部屋の照度が徐々に下がることを防ぐため、初期段階においてあらかじめ照度を下げ、点灯累積時間が増加するにつれ、徐々に照度を上げることにより点灯時間全体では、蛍光灯の照度を一定に保つようにしている。蛍光灯の照度を下げる割合を調光率という。すなわち、調光率とは、蛍光灯が発する照度の最大値を１００とした場合、照明制御装置などによって下げた場合の照度の値を百分率であらわした値をいう。このように、初期の状態から照度を調光率で補正し、徐々に照度を上げることを、初期照度補正または自動照度補正という。初期照度補正の曲線のことを調光カーブという。初期照度補正の例を図２に示す。図２の初期照度補正を表すグラフの縦軸は調光率（単位：％）、横軸は、蛍光灯の寿命に対する点灯累積時間の割合（経過時間率）（単位：１００％）である。蛍光灯の寿命は６０００時間〜１万２０００時間程度である。例えば、蛍光灯の寿命が６０００時間であり、点灯累積時間が６００時間である場合、経過時間率は１０％となる。蛍光灯を取り付けた時点の調光率を下限調光率、蛍光灯の寿命が１００％となる時点の調光率を上限調光率という。初期の調光率が下限調光率として最も低い値であり、蛍光灯の寿命末期となる時点の調光率が、上限調光率として最も高い値である。下限調光率は上限調光率の約７割程度（下限調光率＝上限調光率×０．７）で設定する。調光率は経過時間率が１０％となるまでは急激に増加するが、その後は緩やかなカーブとなる。照明制御装置は、点灯累積時間に対応した調光率を図２に示すように変化させて蛍光灯を点灯することにより、点灯時間全体として照度を一定に保つことが可能となる。
【００１２】
次に、調光率タイプについて説明する。調光カーブは、上限調光率を１００％と設定した場合のカーブを基本調光カーブ（保守率７０％）とし、それを基にして他の上限調光率の調光カーブを設定する。例えば、上限調光率が８０％の場合は、基本調光カーブに０．８を掛けることにより、他の経過時間率における調光率の値を求めることができる。このように、上限調光率を定めておけば、その調光カーブを設定することができる。その設定のことを調光率タイプと呼ぶ。
図２に上限調光率を８０％、７０％、６５％、６０％とした場合の調光カーブａ〜ｄを示す。また、上限調光率を１００％とした場合の基本調光カーブｅを示す。各調光カーブは調光率タイプとして、調光率記憶部１４０に記憶される。また、調光カーブは、上限調光率の値を代表値とした調光率タイプとして調光率設定スイッチ等に表示される。調光率タイプは下限調光率を代表値として示してもよい。下限調光率は上限調光率の約７割程度である。下限調光率を各調光率タイプの代表値として示す場合、調光カーブａ〜ｄは５６％、４９％、４６％、４２％で示す。
【００１３】
図２に示す調光カーブａ、ｂ、ｃ、ｄの各調光率は、図１１のような場合を想定している。
図１１は、下面開放照明器具とルーバー付照明器具との上限調光率と照明器具直下２．５ｍ離れた机上面の明るさとの関係を示す図である。
例えば、図１１から、下面開放照明器具で照明器具直下２．５ｍ離れた机上面に７５０ルクス（ｌｘ）の明るさを提供する場合には、上限調光率は８０％であることが分かる。こうして、図１１と図２との関係は以下のようになる。
（１）ルーバー付照明器具で２．５ｍ離れた机上面を明るさ７５０ルクス（ｌｘ）で点灯したい場合が、上限調光率が８０％の調光カーブａである。
（２）ルーバー付照明器具で２．５ｍ離れた机上面を明るさ６５０ルクス（ｌｘ）で点灯したい場合が、上限調光率が７０％の調光カーブｂである。
（３）下面開放照明器具で２．５ｍ離れた机上面を明るさ７５０ルクス（ｌｘ）で点灯したい場合が、上限調光率が７０％の調光カーブｂである。
（４）下面開放照明器具で２．５ｍ離れた机上面を明るさ７００ルクス（ｌｘ）で点灯したい場合が、上限調光率が６５％の調光カーブｃである。
（５）下面開放照明器具で２．５ｍ離れた机上面を明るさ６５０ルクス（ｌｘ）で点灯したい場合が、上限調光率が６０％の調光カーブｄである。
【００１４】
調光率タイプは、照明装置毎に複数の調光率タイプが設定できるようになっているのがよい。例えば、店舗を新しくする場合や、部屋を倉庫として利用する場合等の部屋の使用目的が変更されたとき、照明の調光率を変更したい場合がある。このような場合、調光率タイプの異なる照明器具全体を交換することは非効率であり、複数の調光率タイプを照明器具側で持たせることにより設定で変更可能とするほうが便利である。
【００１５】
本実施の形態の照明制御装置１００の調光率設定スイッチ１１０は、あらかじめ設定されている複数の調光率タイプのなかからひとつの調光率タイプを選択して設定できるようになっている。図３に調光率設定スイッチの一例を示す。調光率設定スイッチは、２つのＤＩＰスイッチ（ＤＩＰスイッチ１１１とＤＩＰスイッチ１１２と）から構成されている。各ＤＩＰスイッチのオンとオフを切り替えることにより設定を変更する。各ＤＩＰスイッチのオンとオフの状態を組み合わせることにより、４つの調光率タイプの設定することができる。例えば、調光率タイプＡは、上限調光率が８０％（下限調光率が５６％）であることを示しており、ＤＩＰスイッチ１１１をオフ（ＯＦＦ）、ＤＩＰスイッチ１１２もオフの状態とすることにより設定する。調光率タイプＢは上限調光率が７０％（下限調光率が４９％）であり、調光率を変更する場合はＤＩＰスイッチ１１１をオン（ＯＮ）、ＤＩＰスイッチ１１２はオフとする。ＤＩＰスイッチの状態と調光率タイプとの対応は、後述する調光率記憶部１４０が調光率情報として記憶している。制御部１５０は調光率記憶部１４０が記憶している調光率情報を読み取り、読み取った調光率情報と調光率設定スイッチ１１０のＤＩＰスイッチの状態とを比較して調光率タイプを決定する。
【００１６】
具体的には、照明器具の使用者が以下のような照度を望む場合に、ＤＩＰスイッチで以下のような調光率タイプを選択すればよいことになる。
（１）ルーバー付照明器具で２．５ｍ離れた机上面を明るさ７５０ルクス（ｌｘ）で点灯したい場合、調光率タイプＡを選択する。
（２）ルーバー付照明器具で２．５ｍ離れた机上面を明るさ６５０ルクス（ｌｘ）で点灯したい場合、調光率タイプＢを選択する。
（３）下面開放照明器具で２．５ｍ離れた机上面を明るさ７５０ルクス（ｌｘ）で点灯したい場合、調光率タイプＢを選択する。
（４）下面開放照明器具で２．５ｍ離れた机上面を明るさ７００ルクス（ｌｘ）で点灯したい場合、調光率タイプＣを選択する。
（５）下面開放照明器具で２．５ｍ離れた机上面を明るさ６５０ルクス（ｌｘ）で点灯したい場合、調光率タイプＤを選択する。
このように、この実施の形態では、上記調光率設定スイッチが選択する調光率タイプは、下面開放照明器具による２．５ｍ離れた机上面の明るさが６５０ｌｘ（ルクス）、７００ｌｘ、７５０ｌｘになる場合と、ルーバー付照明器具による２．５ｍ離れた机上面の明るさが６５０ｌｘ、７５０ｌｘとなる場合の少なくともいずれかであることを特徴とする。
本実施の形態の調光率設定スイッチでは２つのＤＩＰスイッチを用いて４つの調光率タイプの設定を可能としていたが、３つのＤＩＰスイッチを用いて８つの調光率タイプの設定を可能としても構わない。一つのＤＩＰスイッチを用いて２つの調光率タイプの設定としても構わない。
【００１７】
調光率固定出力スイッチ１２０は、調光率を点灯累積時間に関係なく一定の値とするためのスイッチである。調光率を固定するためには、調光率固定出力スイッチをオン（ＯＮ）側に設定する。調光率固定出力スイッチ１２０がオンである場合、制御部１５０は調光率設定スイッチ１１０で定められた上限調光率の値を制御部１５０に伝える。例えば、調光率設定スイッチ１１０で調光率タイプＡ（上限調光率８０％）と設置されている場合、調光率固定出力スイッチ１２０をオンとした場合、制御部１５０は、点灯累積時間に関係なく、一定の８０％の調光率とするよう調光制御信号を生成し、照明器具２００に送信する。送信方法は、例えば、ＰＷＭ信号、シリアル信号等の有線信号や赤外線や無線信号を用いる。固定する調光率の値は、上限調光率ではなく下限調光率としても構わない。
また、調光率固定出力スイッチをオフ、初期照度補正出力をオンとしても構わない。
【００１８】
タイマ１６０は、照明器具２００のランプ２２０の点灯累積時間を計測する機能を有する。ランプ２２０を交換した時点で、作業者が後述するリセットボタン１３０を押すことにより、点灯累積時間を０時間に初期化する。タイマ１６０は、初期化された時点からの時間を、時間の経過とともに計測する。
【００１９】
リセットボタン１３０は、タイマ１６０をリセットするためのボタンである。プッシュ型のボタンであり、作業者はリセットボタン１３０を押すことによりタイマ１６０が計測している点灯累積時間を０時間とすることができる。
【００２０】
調光率記憶部１４０は、記憶部、記憶装置であり、例えば、不揮発性のメモリである。調光率記憶部１４０は、前述の複数の調光率タイプと、照明器具２００の点灯累積時間とに対応する基本調光率を計算により求めるための調光率情報を記憶している。例えば、調光率記憶部１４０は、図２に示す基本調光カーブｅの値を経過時間率が１０％毎に増加する値を記憶する。さらに、調光率記憶部１４０は、各調光率タイプの経過時間率に応じた調光率を求めるため、調光率情報として係数を記憶しておく。本実施の形態の場合は、各調光率タイプＡ〜Ｄに対応した０．８、０．７、０．６５、０．６を記憶している。
【００２１】
制御部１５０は、照明器具２００に調光率を制御する調光制御信号を生成して出力する。制御部１５０は、調光率決定部１５１と信号出力部１５３とタイマリセット部１５２を有している。
【００２２】
調光率決定部１５１は、上述の調光率設定スイッチ１１０により調光率タイプが変更された場合に、調光率記憶部１４０に記憶した調光率情報を読み出して、読み出した調光率情報に基づいて、変更後の調光率タイプの調光率の値であってタイマ１６０が計測した点灯累積時間に対応する調光率の値を計算して求める。この場合、調光率決定部１５１は、求められた調光率の値を信号出力部１５３に出力する。
【００２３】
調光率決定部１５１は、調光率記憶部１４０に照明器具の点灯時間に対応する調光率の値を調光率情報が記憶されている場合、調光率タイプが変更されたときに、調光率記憶部１４０に記憶された調光率情報の中から、変更後の調光率の値であって、タイマが計測した点灯累積時間に対応する調光率の値を読み出す。この場合、調光率決定部１５１は、読み出した調光率の値を、信号出力部１５３に出力する。
【００２４】
タイマリセット部１５２は、リセットボタン１３０が押された場合、タイマ１６０をリセットする。すなわち、タイマが記憶している点灯累積時間を初期化（点灯累積時間＝０）する。
【００２５】
信号出力部１５３は、調光率決定部１５１が決定し出力した調光率に対応する信号を調光制御信号として、照明器具２００に出力する。
【００２６】
照明器具２００は、交換可能なランプ２２０と、安定器２１０を備えている。ランプ２２０は、例えば、蛍光灯である。安定器２１０は、インバータなどを有し、ランプ電流をランプ２２０に合った値に制御するとともに、ランプ２２０の点灯に必要な始動電圧と、電極に適正な予熱電圧を供給するものである。制御部１５０からの調光率をもとにランプ２２０を点灯する。照明器具２００の構造の詳細説明は省略する。
【００２７】
図４のフローチャートを用いて、本実施の形態に係る照明制御装置１００の動作について説明する。
まず、最初に照明装置３００の電源を入れた後、制御部１５０は調光率設定スイッチ１１０より調光率タイプを検出する（Ｓ１０１）。
調光率設定スイッチ１１０が二つのＤＩＰスイッチで構成されている場合は、ＤＩＰスイッチ１１１とＤＩＰスイッチ１１２のオン・オフとの状態を確認し、例えば両方ともにオフである場合には、調光率タイプＡが設定されていることを読み取る。
次に、調光率固定出力スイッチ１２０の状態を確認する（Ｓ１０２）。調光率固定出力スイッチ１２０が、オンとなっている場合は、調光率が固定されていると制御部１５０が判定する。調光率設定スイッチ１１０が示す調光率タイプに従い、調光率記憶部１４０に記憶した調光率情報を読み出し、固定の調光率の値に設定する（Ｓ２０１）。例えば、調光率タイプＡと設定されており、調光率タイプＡの上限調光率が８０％であった場合、固定の調光率として８０％を設定する。照明器具２００に調光制御信号が出力され、設定した調光率に従いランプが点灯する。
誤って点灯累積時間を初期化し、調光率が下限調光率に設定するよりも上限調光率にしたほうがよい場合に固定調光率の設定は有効である。
【００２８】
調光率固定出力スイッチ１２０がオフとなっている場合は、調光率を初期照度補正（自動照度補正）するものと制御部１５０が判定する。
初期照度補正をおこなう場合は、制御部１５０はタイマが計測した点灯累積時間を読み取る（Ｓ１０３）。
次に、制御部１５０は調光率設定スイッチ１１０から読み取った調光率タイプと、読み取った点灯累積時間とに対応した調光率情報を、調光率記憶部１４０より読み出す（Ｓ１０４）。制御部１５０は、読み取った調光率情報に基づいて点灯累積時間に対応する調光率の値を算出する（Ｓ１０５）。例えば、調光率タイプＡと設定されており、調光率タイプＡの上限調光率が８０％であった場合、点灯累積時間とに対応した基本調光タイプｅの値の８０％を算出する。
【００２９】
制御部１５０の調光率決定部１５１は、算出した調光率の値を信号出力部１５３に入力し、信号出力部１５３は入力された調光率の値を用いて調光制御信号を照明器具２００に出力する（Ｓ１０６）。
【００３０】
最後に、リセットボタン１３０の状況をタイマリセット部１５２が判定する（Ｓ１０７）。タイマリセット部１５２はリセットボタン１３０が押されていないと判定した場合（ＮＯの場合）、点灯累積時間は初期化せず、調光率タイプを検出するステップ（Ｓ１０１）に戻る。
リセットボタン１３０が押され、制御部１５０のタイマリセット部１５２がリセットしたと判断した場合、タイマが記憶している点灯累積時間を初期化（０時間）し、調光率タイプを検出するステップ（Ｓ１０１）にもどる。
Ｓ１０１からＳ１０７までのステップを繰り返すことにより、点灯累積時間と調光率タイプとに応じた調光率を設定することが可能となる。例えば、Ｓ１０１〜Ｓ１０７を繰り返す間隔は、１秒間毎におこなう。繰り返し間隔は、１秒以上の時間間隔で行っても構わないし、それ以下の時間間隔でも構わない。
【００３１】
図５を用いて、各調光率タイプにおける上限調光率とＤＩＰスイッチの状態の関係について説明する。
一般的に、照明装置では最初に調光率タイプを設定すると、長期間その調光率タイプを変更することはしない。よって、長期間においてＤＩＰスイッチを使用しないことが多く、接点箇所の接触不良などが発生する場合がある。接触不良が発生した場合、ＤＩＰスイッチをＯＮしている場合でも、実際には電流が通らず、誤った設定が制御部１５０（マイコン１７０）に伝わる場合がある。
図５は、調光率設定スイッチ１１０の回路図とＤＩＰスイッチ１８０の状況を示した図であり、図５（ａ）は、本実施の形態における設定率タイプＡであり上限調光率が８０％である場合を示している。図５（ｂ）は両方のＤＩＰスイッチが故障した場合の回路図と、ＤＩＰスイッチ１８０の状況を示した図である。
【００３２】
二つあるＤＩＰスイッチ（ＤＩＰスイッチ１１１、ＤＩＰスイッチ１１２）の両方をオン（ＯＮ）とした場合に上限調光率が高いタイプを示すことも設定のパターンとして可能である。しかしながら、照明装置としては、調光率設定スイッチ１１０が故障した場合でも、照度を高く設定されていたほうがよい。すなわち、本実施の形態では、ＤＩＰスイッチが接点不良により、ＤＩＰスイッチ（ＤＩＰスイッチ１１１、ＤＩＰスイッチ１１２）の両方がオフ（ＯＦＦ）とされた場合に、最も調光率が高いタイプ（上限調光率８０％）となるようにした。片方が、接点不良によりオフ（ＯＦＦ）とされた場合でも上限調光率が低いタイプ（６０％）になることはなく、上限調光率が高いタイプ（６５％か７０％か８０％のいずれか）になる。そして、両方がオンとなった場合、上限調光率が最も低いタイプ（上限調光率６０％）となるようにした。
このような調光率タイプとＤＩＰスイッチとの対応関係にすることにより、ＤＩＰスイッチ（調光率設定スイッチ１１０）が故障した場合でも、より明るい調光率で制御することが可能となる。
【００３３】
本実施の形態に係る照明制御装置１００を用いれば、照明器具の調光率をランプの点灯累積時間と調光率タイプとに応じて適切な値で制御することが可能である。照明制御装置１００を用いて初期照度補正を行った場合の調光率タイプを変更した場合の一例を図２により説明する。例えば、ランプを交換したとき（経過時間率が０％の場合）、調光率設定スイッチにより、調光率タイプＡとなるように設定する。このとき、照明器具２００に出力される調光率は５６％である。経過時間率が５％経過した時点において、上限調光率を６０％とするように調光率タイプを変更することとなった場合、作業者が調光率設定スイッチにより、調光率タイプＤとなるようにする。制御部１５０は、調光率設定スイッチが変更されたことを読み出し、調光率タイプＤの調光率情報の値（係数：０．６）を調光率記憶部１４０より読み出す。タイマ１６０の点灯累積時間に応じた、基本調光カーブｅの値を読み出し、これらの値を用いて、調光率を決定する。すなわち、図２におけるＳ１０が示す矢印のように調光率が変更され、その後は、調光カーブｄに従って調光率が設定されることとなる。
【００３４】
その後、経過時間率が１０％となった時点で、上限調光率を６５％と変更することとなった場合は、調光率設定スイッチを変更し、調光率タイプＣとなるように変更する。以下同様の制御部１５０の動作で、調光率は約５５％が照明器具に出力されることとなる（Ｓ２０）。Ｓ３０は、経過時間率が３０％となった時点で、上限調光率を６５％から８０％に変更した場合の調光率の変化を示している。Ｓ４０は、経過時間率が５２％となったときに、上限調光率を８０％から６０％に変更した場合を示している。経過時間率が５％の場合（Ｓ１０）の時点と比較して、調光率が約４９％から約５７％となっているが、タイマにより点灯累積時間が記録されているため、蛍光灯（ランプ２２０）の状態の応じた適切な調光率を設定することができ、点灯時間全体としては同じ照度を維持することができる。
Ｓ５０は、経過時間率が７０％の時点で、上限調光率を６０％（調光率タイプＤ）から７０％（調光率タイプＢ）に変更した場合の調光率の変化を示したものである。
【００３５】
従来の照明装置では、調光率タイプを変更する場合、照明装置又は照明制御装置を取り替える必要があった。また、調光率タイプを変更する場合においても点灯累積時間が初期化されてしまうため、取り付けられたランプを継続して利用する場合、点灯累積時間に応じた調光率で点灯することができないという課題があった。本実施の形態に係る、照明制御装置を用いれば、複数種類の調光率タイプのなかから一つの調光率タイプを選択して設定する調光率設定スイッチを設けているため、調光率タイプを変更する場合、照明装置又は照明制御装置ごと取り替える必要はない。また、照明制御装置１００は、基本調光率と調光率タイプを計算により求めるための調光率情報とを記憶する調光率記憶部１４０を備え、更に、点灯累積時間に対応する調光率の値を計算して求める制御部１５０を備えている。そのため、点灯累積時間を初期化せずに、調光率タイプを変更することができ、点灯累積時間と調光率タイプとに応じた調光率を設定することが可能となるという効果を奏する。
【００３６】
上記調光率設定スイッチは、上限調光率と下限調光率との何れかに基づいて、複数種類の調光率タイプのなかからひとつの調光率タイプを選択して設定するスイッチであることを特徴とする。
【００３７】
上記調光率設定スイッチは、接点が非接触の場合に、調光率を高くする調光率タイプを選択するように設定されるスイッチであることを特徴とする。
【００３８】
上記照明制御装置は、更に、点灯累積時間に関係なく調光率固定の設定をする調光率固定出力スイッチを備え、
上記制御部１５０は、調光率固定出力スイッチが調光率固定の設定がされた場合に、上記調光率設定スイッチにより設定されたひとつの調光率タイプにより定められた固定の調光率の値を用いて調光制御信号を生成することを特徴とする。
【００３９】
本発明に係る照明制御装置によれば、制御部１５０が、調光率記憶部に記憶した調光率情報を読み出し、タイマが計測した点灯累積時間に対応する調光率の値を計算して求め、求めた調光率の値を用いて照明器具の調光率を制御する調光制御信号を出力する。そのため、調光率タイプを調光率設定スイッチにより切り替えても、タイマがリセットされず、下限調光率にセットされない。したがって、照明器具は設定した調光率タイプと点灯累積時間とに応じた調光率によりランプを点灯することができるという効果を奏する。
【００４０】
本実施の形態に係る照明制御装置によれば、調光率設定スイッチ１１０が、複数種類の調光率タイプのなかからひとつの調光率タイプを選択して設定するスイッチであるため、例えば、調光率設定スイッチ１１０の構造が単純でコストを下げることができるという効果を奏する。
【００４１】
本実施の形態に係る照明制御装置によれば、調光率設定スイッチが、接点が非接触の場合に、調光率を高くする調光率タイプを選択するように設定されるスイッチであるため、例えば、調光率設定スイッチの接点が故障した場合でも、上限調光率が低い調光率タイプとならないという効果を奏する。
【００４２】
本実施の形態に係る照明制御装置によれば、点灯累積時間に関係なく調光率固定の設定をする調光率固定出力スイッチを備えているため、調光カーブにより調光率の変化をさせたくない場合（初期照度補正を行わない場合）、容易に切り替えることが可能となる効果を奏する。
【００４３】
実施の形態２．
以下では、本実施の形態について、主に実施の形態１との差異を説明する。
本実施の形態における、機能ブロック図は実施の形態１と同様である。本実施の形態では、調光率記憶部１４０で記憶する調光率情報の内容が実施の形態１と異なる。
【００４４】
実施の形態１の調光率情報は、あらかじめ基本調光カーブｅの値と複数種類の調光率タイプの係数を記憶しておき、制御部１５０において、点灯累積時間に応じた調光率を計算により求めていた。しかし、本実施の形態の調光率記憶部１４０は、複数種類の調光率タイプの調光率の値を、点灯累積時間又は経過時間率に対応した値として記憶しておくことが特徴である。例えば点灯累積時間を１００時間毎に各調光率タイプの調光率を記憶しておく。あるいは、経過時間率を１％毎に、各調光率タイプの調光率を記憶しておいても構わない。
また、調光率記憶部１４０は、複数の調光率タイプの各タイプに対して、照明器具の点灯累積時間に対応する調光率の値を調光率情報として記憶しておいてもよい。例えば、調光率記憶部１４０は、基本調光カーブｅの経過時間率毎の値に、４つの調光率タイプの係数（０．８、０．７、０．６５、０．６）を掛け、計算した結果を調光率情報の表データとして記憶しておく。
【００４５】
各調光率タイプに対応した調光率を、調光率情報として制御部１５０は読み出すことができるため、制御部１５０は調光率を計算する必要がないという効果を奏する。
即ち、本実施の形態の照明制御装置を用いれば、図４のフローチャートにおいて調光率情報に基づいて点灯累積時間に対応する調光率の値を算出するというステップ（Ｓ１０５）が不要となる。
調光率記憶部の利用できる記憶容量が、実施の形態１の場合と比較して大きいときに有効な手法である。
【００４６】
本実施の形態に係る照明制御装置１００によれば、制御部１５０は、タイマ１６０が計測した点灯累積時間に対応する調光率の値を調光率記憶部１４０より読み出して、この調光率の値を用いて照明器具２００の調光率を制御する調光制御信号を出力する。そのため、調光率タイプを調光率設定スイッチ１１０により切り替えても、タイマ１６０がリセットされず、下限調光率にセットされない。したがって、照明器具２００は、設定した調光率タイプと点灯累積時間とに応じた調光率によりランプ２２０を点灯することができるという効果を奏する。
【００４７】
実施の形態３．
以下では、本実施の形態について、主に実施の形態１との差異を説明する。本実施の形態における、機能ブロック図は実施の形態１と同様である。
本実施の形態では、調光率記憶部１４０で記憶する調光率情報の内容が実施の形態１と異なる。
実施の形態１の調光率情報は、あらかじめ基本調光カーブｅの値と複数種類の調光率タイプの係数を記憶しておき、制御部１５０において、点灯累積時間に応じた調光率を計算により求めていたが、本実施の形態の調光率記憶部１４０は、基本調光カーブｅの値を直線で近似した式（あるいは曲線近似式でもよい）より得られる情報を記憶しておくことが特徴である。直線で近似した直線（グラフ・式ともいう）の一例を図６に示す。基本調光カーブｅは、一般的に経過時間率が約１０％程度までは急激に増加するカーブであるが、１０％を超えると緩やかなカーブとなる。そこで、経過時間率が１０％未満の場合と、１０％以上となる場合の二つの直線を用いて基本調光カーブｅの値を直線で近似した直線（基本調光カーブｅ’）をもとめる。制御部１５０は、この直線より得られる値をもとにして、各調光率タイプの点灯累積時間（経過時間率）に対応した調光率を計算により求める。
このように、調光率記憶部１４０に記憶する調光率情報は近似した直線（あるいは曲線）の情報であればよく、基本調光カーブｅの各経過時間率毎の値を記憶しておく必要がない。そのため、比較的少ない記憶容量で実装することが可能となる。
【００４８】
本実施の形態に係る調光率記憶部１４０は、経過時間率が１０％である場合を境として二つの近似した式を記憶していたが、境は１０％ではなく、２０％や３０％といった経過時間率により基本調光カーブｅを分けても構わない。２つではなく３つ以上の直線で分割しても構わない。分割数が多ければ、基本調光カーブｅと基本調光カーブｅ’との誤差は少なくなる。
【００４９】
また、調光率記憶部１４０は、記憶する調光率情報として、各調光タイプに対応した調光カーブａ〜ｄについてそれぞれの直線により近似した直線（図５における調光カーブａ’〜ｄ’）を記憶しても構わない。
照明制御装置１００の動作については、実施の形態１における図４と同様であるので説明は省略する。
調光率記憶部１４０の記憶容量が、実施の形態１と比較して小さい場合に有効な手法である。
【００５０】
上記調光率記憶部は、調光率情報として点灯累積時間の経過とともに調光率を変化させた調光カーブから得られた情報と、上記調光カーブを直線で近似した直線から得られた情報との何れかを記憶したことを特徴とする。
【００５１】
本実施の形態に係る照明制御装置によれば、調光率記憶部が、調光カーブを直線で近似した近似式より得るための調光率情報を記憶している。そのため、点灯累積時間に応じた基本調光率を記憶する必要がなく、より少ない情報で実現できることから、調光率記憶部の記憶容量が少ない場合でも、設定した調光率タイプと点灯累積時間とに応じた調光率を設定することができるという効果を奏する。
【００５２】
実施の形態４．
以下では、本実施の形態について、主に実施の形態１との差異、とくにタイマをリセットするリセット方法について図７を用いて説明する。  図７は、本実施の形態における照明装置３００の機能ブロック図である。本実施の形態における、実施の形態１と同一の機能及び動作を示す機能ブロック図には、同一の番号を付し、その説明を省略する。
本実施の形態では、照明器具に寿命検出回路２３０が追加されている。寿命検出回路２３０は、照明器具２００に取り付けられているランプ２２０が寿命となっているか否かを検出する回路である。寿命検出回路２３０は、ランプ２２０が寿命となったと判定した場合、制御部１５０に判定したことを示す寿命検出信号を送信する。制御部１５０は、その信号を受信した場合、タイマリセット部１５２がタイマ１６０を初期化する。このとき、作業者はランプを交換する。
【００５３】
本実施の形態の制御部１５０は、照明器具２００の寿命検出回路２３０から照明用ランプ２２０の寿命が到来したことを示す寿命検出信号を入力した場合に、タイマ１６０をリセットするタイマリセット部１５２を備えたことを特徴とする。
【００５４】
本実施の形態に係る照明制御装置１００によれば、制御部１５０が、照明器具２００の寿命検出回路２３０からの寿命検出信号を入力した場合に、タイマ１６０をリセットするタイマリセット部１５２を備えているため、照明用ランプの交換時に、リセットボタン１３０を押すことなくタイマ１６０をリセットすることが可能である。そのため、作業時間を短縮することができるという効果を奏する。
【００５５】
照明器具２００の寿命検出回路２３０がランプ２２０の寿命を判定し、点灯累積時間を初期化することにより、ランプを交換する作業者は、ランプ２２０を交換するたびにリセットボタン１３０を押す必要がない。そのため、作業者がランプ２２０を交換する際にリセットボタン１３０を押し忘れることを防ぐという効果を奏する。
【００５６】
実施の形態５．
本実施の形態では、タイマをリセットする別のリセット方法について説明する。図８はリセットボタン１３０とマイコン１７０の回路図である。
リセットボタン１３０のオン・オフのみにより点灯累積時間を初期化される場合は、作業者が間違ってリセットボタン１３０を押してしまった時点でタイマがリセット（点灯累積時間が初期化）されてしまう。タイマがリセットされた場合、初期照度補正を行っている場合、調光率が下限調光率となることから、照明装置３００は適切な調光率を用いてランプ２２０を点灯することができない。そこで、間違ってリセットボタン１３０が押された場合でもタイマがリセットされないよう、リセットボタン１３０を長押しすることにより点灯累積時間をリセットするか否かを判定する方法について説明する。
【００５７】
図８は、リセットボタン１３０とマイコン１７０の回路図である。リセットボタン１３０はプッシュ型ボタンで設置されており、通常では、マイコン側に電圧（５Ｖ）がかかる状態となっている。プッシュ型ボタンによりリセットする場合、プッシュ型ボタンを押下することにより、マイコン１７０側へ流れる電圧（＋Ｖｃｃ（５Ｖ））が一時的に下がる（電圧がアース側にかかる）。マイコン１７０は電圧を計測することにより、プッシュ型ボタン（リセットボタン１３０）が押されたか否かを判定することが可能となる。電圧がかかっていない時間をタイマ１６０により計測すれば、長時間リセットボタン１３０が押されたか否かを、マイコン１７０は判定することができる。このような構成とすることにより、リセットボタン１３０を所定の時間、長押しすることにより、タイマ１６０をリセットすることができる。
【００５８】
本実施の形態では、例えば、リセットボタン１３０を２秒以上押下されていると制御部１５０が判定した場合に、タイマをリセット（点灯累積時間を初期化）する。リセットボタン１３０が押下された時間、すなわち、マイコン１７０にかかる電圧が５Ｖ以下の時間が２秒未満であった場合は、制御部１５０は設定が無効であると判定し、タイマをリセットしない。すなわち、作業者がリセットボタン１３０を間違って押されても、タイマがリセットされないため、調光率が下限調光率とはならず、点灯累積時間に応じた調光率によりランプ２２０を点灯することが可能となる。
【００５９】
リセットボタン１３０が作業者により長押されたと制御部１５０が判定する時間は２秒以上であっても構わない。また、２秒以下であっても構わない。あまり時間が短い場合は、誤動作を検出することができないため、１秒以上であることが望ましい。
【００６０】
上記照明制御装置は、更にタイマをリセットするリセットボタン１３０を備え、上記制御部１５０は、リセットボタン１３０が、所定時間以上押され続けた場合に、タイマをリセットするタイマリセット部１５２を備えたことを特徴とする。
【００６１】
本実施の形態にに係る照明制御装置によれば、制御部１５０が、所定時間以上押され続けた場合に、タイマをリセットする（点灯累積時間を初期化する）タイマリセット部１５２を備えているため、例えば、作業者がライトを交換する作業中に誤ってリセットボタン１３０を押した場合でもタイマがリセットすることがないという効果を奏する。
【００６２】
実施の形態６．
本実施の形態では、タイマ１６０をリセットする別のリセット方法について説明する。
実施の形態５と同様に、作業者の誤動作によるタイマ１６０のリセットを防ぐことを目的としている。
図９は本実施の形態の機能ブロック図である。実施の形態１とは、調光率固定出力スイッチ１２０より、制御部１５０のタイマリセット部１５２に調光率固定出力スイッチ１２０のオン・オフ信号が出力されることが異なる。
図１０は、本実施の形態のタイマ１６０をリセットする方法を説明する図である。
通常は、調光率固定出力スイッチ１２０であるＤＩＰスイッチは調光率を固定するか否か、即ち、初期照度補正を行うか否かを設定するスイッチである。本実施の形態では、調光率固定出力スイッチ１２０を、リセットボタン１３０としても利用する。
調光率固定出力スイッチ１２０をオン・オフしただけでは、初期照度補正を行うか否かを設定する場合と区別がつかない。そこで、制御部１５０のタイマリセット部１５２は、調光率固定出力スイッチ１２０を、所定の時間内に所定回数以上オン・オフされた場合、点灯累積時間がリセットされたと判定するようにする。
即ち、図１０（ａ）に示すように、調光率固定出力スイッチ１２０がオフになっている状態から、一度オンの状態とし、すぐにオフの状態とする。オフの状態からオンとし、再度オフとするまでの時間は例えば１秒以内である。オフからオフまでの間隔が１秒以内であった場合、タイマリセット部１５２は、作業者がリセットの信号を入力したと判定し、タイマ１６０の点灯累積時間を初期化する。リセットする場合の所定の時間は、一定の時間であればよく、例えば２秒以内にオン・オフを繰り返すようにしても構わない。所定の時間にオン・オフを繰り返す回数は２回以上としても構わない。
【００６３】
本実施の形態における照明制御装置１００を用いれば、タイマ１６０のリセットを、調光率固定出力スイッチ１２０のオン・オフを所定の時間内に繰り返して行うことにより判定するため、作業者の誤操作によるタイマ１６０のリセットを防ぐことが可能となるという効果を奏する。また、本実施の形態ではタイマ１６０のリセットを調光率固定出力スイッチ１２０でおこなうため、リセットボタン１３０が不要となり部品数の削減を行うことが可能であるという効果を奏する。
もちろん、誤操作を考慮しない場合でもよく、その場合は単にオンからオフへ切り替えした時にリセットをかければよい。
【００６４】
前述した各実施の形態は組み合わせて実施することも可能である。
例えば、実施の形態５のリセット方法と実施の形態６によるリセット方法と組み合わせてタイマ１６０をリセットしても構わない。例えば、図１０（ｂ）のように、所定の時間内に、調光率固定出力スイッチ１２０をオン・オフし、続いてリセットボタン１３０を押した場合にタイマ１６０をリセットする。タイマ１６０のリセットする手順を複雑にすることにより、作業者の誤操作によるタイマ１６０の誤ったリセットを防ぐことができる。
【００６５】
上記制御部１５０は、調光率固定出力スイッチ１２０が所定の時間内に所定回数以上、オン・オフされた場合に、タイマ１６０をリセットするタイマリセット部１５２を備えたことを特徴とする。
【００６６】
本実施の形態に係る照明制御装置１００によれば、制御部１５０が、調光率固定出力スイッチ１２０が所定の時間内に所定回数以上、オン・オフされた場合に、タイマ１６０をリセットするタイマリセット部１５２を備えているため、例えば、調光率タイプ設定作業中に誤って調光率固定出力スイッチ１２０を操作した場合でもタイマ１６０をリセットすることがないという効果を奏する。
【００６７】
上記制御部１５０は、所定の時間内に、調光率固定出力スイッチ１２０が所定回数以上オン・オフされかつリセットボタン１３０が押された場合に、タイマ１６０をリセットするタイマリセット部１５２を備えたことを特徴とする。
【００６８】
本実施の形態に係る照明制御装置１００によれば、制御部１５０が、調光率固定出力スイッチ１２０が所定の時間内に所定回数以上、オン・オフされ、かつ、リセットボタン１３０を押された場合に、タイマ１６０をリセットするタイマリセット部１５２を備えているため、例えば、ランプ２２０の交換作業中やランプの点灯確認中や反射ルーバーの清掃中等に誤ってリセットボタン１３０を押した場合でもタイマ１６０をリセットすることがないという効果を奏する。
【００６９】
本実施の形態に係る照明装置３００は、上記いずれかの照明制御装置１００と、照明制御装置１００から出力される調光制御信号により調光をする照明器具２００とを備えたことを特徴とする。
【００７０】
また、各実施の形態の照明装置３００は、照明制御装置１００と照明器具２００が同一の器具内に収められているものとして説明したが、照明制御装置１００を照明器具２００と分離して、電源のスイッチと同じ場所に設置したり、天井に照明制御装置を設置し、調光率タイプを手元で設定できるようにしても構わない。
また、設定方法はスイッチを切り替える方法を説明したがワイヤレスリモコンなどで赤外線や無線を利用した構成としてもよい。この方法であると同時に複数の器具を設定できる。
また、複数の照明器具２００を１台の照明制御装置１００で制御しても構わない。
【図面の簡単な説明】
【００７１】
【図１】実施の形態１における照明制御装置１００を備えた照明装置３００の構成の一例を示す機能ブロック図である。
【図２】実施の形態１における初期照度補正をした場合の基本調光カーブ及び複数種類の調光率タイプにおける調光率と経過時間率の関係を示した図である。
【図３】実施の形態１における調光率設定スイッチの一例を示す図である。
【図４】実施の形態１における照明制御装置１００の動作を示すフローチャートである。
【図５】実施の形態１における調光率設定スイッチ１１０の回路図とＤＩＰスイッチ１８０の状況を示した図。
【図６】実施の形態３における基本調光カーブを直線で近似した場合のグラフを示した図である。
【図７】実施の形態４における照明装置３００の機能ブロック図である。
【図８】実施の形態５におけるリセットボタン１３０とマイコン１７０の回路図である。
【図９】実施の形態６における照明装置３００の機能ブロック図ある。
【図１０】実施の形態６におけるタイマ１６０をリセットする方法を説明する図である。
【図１１】下面開放照明器具とルーバー付照明器具との上限調光率と照明器具直下２．５ｍ離れた机上面の明るさとの関係を示す図である。
【符号の説明】
【００７２】
１００  照明制御装置、１１１  ＤＩＰスイッチ、１１２  ＤＩＰスイッチ、１１０  調光率設定スイッチ、１２０  調光率固定出力スイッチ、１３０  リセットボタン、１４０  調光率記憶部、１５０  制御部、１５１  調光率決定部、１５２  タイマリセット部、１５３  信号出力部、１６０  タイマ、１７０  マイコン、１８０  ＤＩＰスイッチ、２００  照明器具、２１０  安定器、２２０  ランプ、２３０  寿命検出回路、３００  照明装置。
【図１】
2008204916.tif 000003
【図２】
2008204916.tif 000004
【図３】
2008204916.tif 000005
【図４】
2008204916.tif 000006
【図５】
2008204916.tif 000007
【図６】
2008204916.tif 000008
【図７】
2008204916.tif 000009
【図９】
2008204916.tif 000010
【図１０】
2008204916.tif 000011
【図８】
2008204916.tif 000012
【図１１】
2008204916.tif 000013